(57)【特許請求の範囲】
【請求項１】
遊技用記録媒体又は貨幣を受け入れて遊技店内の遊技システムの運用に係わる処理を行う遊技用記録媒体処理装置と、
前記遊技用記録媒体処理装置と通信接続され、前記遊技用記録媒体処理装置の処理データを蓄積、管理する遊技用管理装置と
を含む遊技場管理システムにおいて、
前記遊技用記録媒体処理装置は、
所定枚数の遊技用記録媒体を収容する記録媒体収容手段と、
前記記録媒体収容手段に収容される遊技用記録媒体の収容数を記憶する記憶手段と、
前記遊技用記録媒体が収容されると前記記憶手段に記憶された遊技用記録媒体の収容数を加算する加算手段と、
前記遊技用記録媒体が排出されると前記記憶手段に記憶された遊技用記録媒体の収容数を減算する減算手段と、
前記加算手段による加算又は前記減算手段による減算の結果前記記憶手段に記憶された前記遊技用記録媒体の収容数を前記遊技用管理装置に送信する送信手段と
を備え、
前記遊技用管理装置は、
前記遊技用記録媒体処理装置の識別番号に対応づけて、前記遊技用記録媒体の収容数を記憶する管理情報記憶手段と、
前記送信手段により送信された前記遊技用記録媒体の収容数の受信に基づいて、前記管理情報記憶手段に記憶された前記遊技用記録媒体の収容数を更新する更新手段と、
前記遊技用記録媒体の収容数に関するデータを各遊技用記録媒体処理装置別に集計する集計手段と、
前記遊技用記録媒体の収容数についての店内マップを生成するマップ生成手段と、
収容数について適正値とそれ以外の値について異なるイメージを対応付けて記憶するイメージ記憶手段と、
前記集計手段による集計結果を、前記店内マップの該当する各遊技用記録媒体処理装置の装置イメージにそれぞれ対応付けたイメージを生成するイメージ生成手段と、
前記マップ生成手段により生成された前記店内マップ上の各遊技用記録媒体処理装置の装置イメージが、前記イメージ生成手段により当該各遊技用記録媒体処理装置に対応して生成された前記イメージで表現された結果画面を表示する表示制御手段と
を具備する遊技場管理システム。
【請求項２】
前記表示制御手段は、
前記収容数の値を認識可能な情報を各遊技用記録媒体処理装置に対応したイメージに付して前記店内マップ上に表示する請求項１記載の遊技場管理システム。
【請求項３】
前記表示制御手段は、
前記イメージに対応する凡例情報を店内マップとは別領域に表示する請求項１または２記載の遊技場管理システム。
【請求項４】
前記管理情報記憶手段は、
前記遊技用記録媒体処理装置の識別番号に対応づけて、前記遊技用記録媒体処理装置内の貨幣の収容数を記憶する機能を更に備え、
前記マップ生成手段は、
前記貨幣の収容数についての店内マップを生成する機能を更に備える請求項１乃至３のいずれかに記載の遊技場管理システム。
【発明の詳細な説明】
【技術分野】
【０００１】
本発明は、遊技用記録媒体又は貨幣を受け入れて遊技店内の遊技システムの運用に係わる処理を行う遊技用処理装置と通信接続され、上記遊技用処理装置の処理データを蓄積、管理する遊技用管理システムに係わり、詳しくは、各遊技用処理装置の処理データを一目で容易に参照できるようにイメージ表示する遊技用管理システムに関する。
【背景技術】
【０００２】
パチンコ、スロットマシンなどの遊技機が設置された遊技店（パチンコ店）では、来店した遊技客がこれから利用する遊技機の絞込みを支援するために、遊技店内の各遊技機の稼動状態情報等を表示する表示用端末機が設置されている。
【０００３】
この種の表示用端末機の一例として、下記特許文献１には、第１のモニタ６を用いて、ゲーム機の機種名、所定日数（３日分）の打止回数あるいはフィーバ回数を台番号毎に表示する（図５，図６参照）機能を備える表示用端末器４が開示されている。
【０００４】
この他、遊技機の処理データを表示する技術としては、遊技機からのデータをホールコンピュータ経由で上位管理装置に受信し、該受信したデータから例えば売上、アウト、セーフ、差玉、特賞回数、高確回数等の各項目の値を集計して、これら各項目の値をイメージ表示するものも知られている。
【０００５】
一方、遊技店に設置される遊技システムは、例えば、台間処理機や精算機等、遊技用記録媒体としてカード（プリペイドカードや会員カード等）を受け入れて遊技媒体貸出処理や精算処理等を実施する遊技用処理装置を含むカードシステムを採用したものが多く、上述した遊技機にとどまらず、該カードシステムを構成する各遊技用処理装置の処理データを表示して確認できるようにしたいとの要求もある。
【０００６】
かかる要求に対して、遊技店におけるカードシステムを構成する各遊技用処理装置の処理データをユーザに向けて表示する技術としては、例えば、下記特許文献２に記載されるように、各遊技用処理装置の運用に関するデータを収集、集計し、該集計結果を数字の羅列により一覧形式で表示する（図２０、図２１参照）技術が知られていた。
【特許文献１】特開平８−２０６３４１号公報
【特許文献２】特開２００２−３２０７５７号公報
【発明の開示】
【発明が解決しようとする課題】
【０００７】
このように、遊技場管理システムにおいて、遊技機の運用に関するデータを収集してイメージ表示する等の技術は従来から知られているが、カードシステムを構成する遊技用処理装置の運用に関するデータを表示する技術としては、特許文献２に記載されるように、一覧形式として数字の羅列によって表示するのが一般的であった。
【０００８】
かかる従来のデータ表示方法では、管理者が、数字の羅列による一覧表示の中から各遊技用処置装置の処理データを簡単に読取ることができず、複数の台間処理機や精算機等の各遊技用処理装置の運用に関するデータを一目で参照することができないという問題点があった。
【０００９】
本発明は上記問題点を解消し、遊技用記録媒体又は貨幣を受け入れて遊技運用に関する処理を行う遊技用処理装置の処理データを管理者が一目で参照でき、遊技用処理装置で構成される遊技用記録媒体処理システムの運用状況の把握が容易なデータ表示機能を有する遊技用管理システムを提供することを目的とする。
【課題を解決するための手段】
【００１０】
上記目的を達成するために、請求項１記載の発明は、遊技用記録媒体又は貨幣を受け入れて遊技店内の遊技システムの運用に係わる処理を行う遊技用記録媒体処理装置と、前記遊技用記録媒体処理装置と通信接続され、前記遊技用記録媒体処理装置の処理データを蓄積、管理する遊技用管理装置とを含む遊技場管理システムにおいて、前記遊技用記録媒体処理装置は、所定枚数の遊技用記録媒体を収容する記録媒体収容手段と、前記記録媒体収容手段に収容される遊技用記録媒体の収容数を記憶する記憶手段と、前記遊技用記録媒体が収容されると前記記憶手段に記憶された遊技用記録媒体の収容数を加算する加算手段と、前記遊技用記録媒体が排出されると前記記憶手段に記憶された遊技用記録媒体の収容数を減算する減算手段と、前記加算手段による加算又は前記減算手段による減算の結果前記記憶手段に記憶された前記遊技用記録媒体の収容数を前記遊技用管理装置に送信する送信手段とを備え、前記遊技用管理装置は、前記遊技用記録媒体処理装置の識別番号に対応づけて、前記遊技用記録媒体の収容数を記憶する管理情報記憶手段と、前記送信手段により送信された前記遊技用記録媒体の収容数の受信に基づいて、前記管理情報記憶手段に記憶された前記遊技用記録媒体の収容数を更新する更新手段と、前記遊技用記録媒体の収容数に関するデータを各遊技用記録媒体処理装置別に集計する集計手段と、前記遊技用記録媒体の収容数についての店内マップを生成するマップ生成手段と、収容数について適正値とそれ以外の値について異なるイメージを対応付けて記憶するイメージ記憶手段と、前記集計手段による集計結果を、前記店内マップの該当する各遊技用記録媒体処理装置の装置イメージにそれぞれ対応付けたイメージを生成するイメージ生成手段と、前記マップ生成手段により生成された前記店内マップ上の各遊技用記録媒体処理装置の装置イメージが、前記イメージ生成手段により当該各遊技用記録媒体処理装置に対応して生成された前記イメージで表現された結果画面を表示する表示制御手段とを具備する。
【００１１】
請求項２記載の発明は、上記請求項１記載の発明において、前記表示制御手段は、前記収容数の値を認識可能な情報を各遊技用記録媒体処理装置に対応したイメージに付して前記店内マップ上に表示する。
【００１２】
請求項３記載の発明は、上記請求項１または２記載の発明において、前記表示制御手段は、前記イメージに対応する凡例情報を店内マップとは別領域に表示する。
請求項４記載の発明は、上記請求項１乃至３のいずれかに記載の発明において、前記管理情報記憶手段は、前記遊技用記録媒体処理装置の識別番号に対応づけて、前記遊技用記録媒体処理装置内の貨幣の収容数を記憶する機能を更に備え、前記マップ生成手段は、前記貨幣の収容数についての店内マップを生成する機能を更に備える。
【発明の効果】
【００１３】
本発明によれば、指定された項目に対応する処理データを各遊技用処理装置別に集計し、該各遊技用処理装置別の集計結果をイメージ情報として表示手段に一括表示するようにしたため、管理者は、上記イメージ表示を見て遊技用処理装置の処理結果をイメージでとらえることができ、遊技用処理装置で構成される遊技用記録媒体処理システムの運用状況を把握し易くなる。
【００１４】
ここで、遊技店内における各遊技用処理装置の配置に準じて該各遊技用処理装置に対応する装置イメージを配した店内マップを用い、該店内マップ上の各装置イメージに関連付けて該当する各遊技用処理装置の処理データの集計結果をイメージ表示するようにすれば、遊技店内における各遊技用処理装置の運用状況を一目で参照できるようになる。
【００１５】
また、本発明では、遊技用処理装置に設けられる錠機構の施錠または解錠の状態を示す施／解錠情報を逐次に収集し、該収集した施／解錠情報に基づき、各遊技用処置装置の錠機構の施錠または解錠の状態を店内マップ上に各遊技用処理装置に関連付けて表示することで、各遊技用処理装置が施錠状態にあるか解錠状態にあるかを逐次参照でき、不正防止に有用である。
【発明を実施するための最良の形態】
【００１６】
以下、本発明の実施形態について添付図面を参照して詳細に説明する。
【００１７】
図１は、本発明に係わる遊技用管理装置が適用された遊技システムの全体構成を示すブロック図である。
【００１８】
図１において、この遊技システムは、遊技店のホール内の「島」と呼ばれるグループ毎に設置される複数の遊技機〔パチンコ台やスロットマシン等〕１０と、該各遊技機１０に対して１対１で設置され、遊技用記録媒体として用いるカード（プリペイドカード、会員カード）または貨幣を受け入れて遊技媒体であるパチンコ玉あるいはメダルの貸出処理を実施する台間処理ユニット２０と、上記「島」毎に設置され、後述する管理装置６０との間におけるデータの中継伝送等の処理を行う島コントローラ３０と、上記各「島」に対応して設置されてデビットカード（銀行のキャッシュカード）を受け入れてプリペイドカードの発行あるいは会員カードへの有価価値の価値付けを行うデビット券売機４０と、上記各「島」に対応して設置されてプリペイドカードあるいは会員カードに対応する残度数を金額に換算して該金額分の現金（紙幣）を精算金として払出す精算機５０と、遊技システムを統括制御する管理装置６０とをローカル・エリア・ネットワーク（ＬＡＮ）７０を介して接続して構成される。
【００１９】
また、この遊技システムにおいて、管理装置６０は、遊技店に上記プリペイドカード、会員カードを供給してその運用状況を管理するカードセンタ８３と公衆網８０を介して接続されるとともに、デビット券売機４０は、該デビット券売機４０でデビットカードを利用してカードに価値付けする際のデビット決済処理を行うデビット決済センタ８５と接続（公衆網８０を介して接続しても良い）されている。これにより、デビット券売機４０でのデビットに関係する情報はデビット決済センタ８５へ、遊技店に関する情報（カード売上情報等）は管理装置６０へ送信されるようになっている。
【００２０】
この遊技システムでは、遊技用記録媒体としてプリペイドカードと会員カードが用いられ、台間処理ユニット２０、デビット券売機４０及び精算機５０の各装置（遊技用処理装置）は、プリペイドカード、会員カードを受け入れてこれらカードに対する有価価値の価値付け、有価価値の更新（加算、減算）、有価価値精算等の処理を管理装置５０と協働して行う。
【００２１】
図２は、デビット券売機４０の機能構成を示すブロック図である。このデビット券売機４０では、後で詳述するように、デビットカード処理部４７にデビットカード（ＤＣ）を受け入れ、公衆網８０を通じたデビット決済センタ８５とのデビット決済の完了後、プリペイドカード処理部４５からデビット決済額分の残度数を価値付けたプリペイドカード（ＰＣ）を発行する。また、予め会員カード処理部４６に会員カード（ＭＣ）を挿入しておくことで、上記デビット決済を経て当該会員カードにデビット決済額分の残度数を価値付けて排出することができる。
【００２２】
図３は、台間処理ユニット２０の機能構成を示すブロック図である。この台間処理ユニット２０では、後で詳述するように、例えば、デビット券売機４０により発行されたプリペイドカードあるいは価値付け後の会員カードをカード処理部２７１に受け入れて、該カードに対応する有価価値に基づく遊技機１０への遊技媒体（玉またはメダル）を貸出す処理、貨幣を受け入れて該貨幣価値分の有価価値を受入中のカードに価値付けする処理、貨幣を受け入れて該貨幣価値分の有価価値を価値付けたプリペイドカードを発行する処理等を行う。
【００２３】
図４は、精算機５０の機能構成を示すブロック図である。この精算機５０では、後で詳述するように、有価価値が残っているプリペイドカードあるいは会員カードをカード処理部５１に受け入れて、該有価価値分の現金（紙幣）を紙幣処理部５５、硬貨処理部５６から排出する精算処理を行う。
【００２４】
上記台間処理ユニット２０、デビット券売機４０及び精算機５０における処理データは、ＬＡＮ７０を通じて管理装置６０に収集され、蓄積、管理される。
【００２５】
管理装置６０は、遊技システム全体を制御統括するコントローラ（ターミナル・コントローラ：以下、Ｔ／Ｃ）であり、例えば、図５に示すように、制御部であるＣＰＵ６１、ハードディスクなどの記憶装置６２、動作プログラム等を記憶するメモリ６３、マウスやキーボード等の入力装置６４、ＣＲＴ等の表示装置６５、ＬＡＮ７０を介してカード処理ユニット２０，島コントローラ３０，デビット券売機４０及び精算機５０等の被管理装置との通信を行う通信インタフェース（Ｉ／Ｆ）部６６、公衆網８０を介してカードセンタ８３の処理端末や、デビット決済センタ８５の処理端末と接続する外部インタフェース（Ｉ／Ｆ）部６７を備えたＰＣ（パーソナル・コンピュータ）等の情報処理端末により構成される。
【００２６】
Ｔ／Ｃ６０において、メモリ６３には、有価価値管理テーブルとして、図６（ａ）に示すプリペイドカード管理テーブル６３１、図６（ｂ）に示す会員管理テーブル６３２が設けられ、これら各テーブルを用いてプリペイドカード情報、会員情報が別々に管理される。
【００２７】
図６（ａ）に示すように、プリペイドカード管理テーブル６３１には、プリペイドカードのカードＩＤ毎に、発行日、発行金額、残度数、再発行回数、追加入金額、デビット入金などの各種データが記憶されている。
【００２８】
また、会員管理テーブル６３２には、図６（ｂ）に示すように、会員カードのカードＩＤ（会員コード）別に、貯玉数、残度数、来店回数、来店ポイント、入会日、住所、氏名、電話番号および追加入金額、デビット入金などの各種データが記憶されている。
【００２９】
また、本発明において、メモリ６３には、台情報管理テーブル６３３、精算機情報管理テーブル６３４、券売機情報管理テーブル６３５が設けられ、これら各テーブル６３３，６３３，６３４を用いて、それぞれ、台間処理ユニット２０，精算機５０及びデビット券売機４０の各種処理データが管理される。
【００３０】
制御部６１には、台間処理ユニット２０，デビット券売機４０及び精算機５０と通信して、これら各装置が受け入れているカードのカードＩＤに対応するプリペイドカード管理テーブル６３１、会員管理テーブル６３２上の有価価値（残度数）の加算あるいは減算等の処理を行う機能に加えて、台間処理ユニット２０，精算機５０及びデビット券売機４０の各装置からカード受入中の処理データを受信して当該各装置に対応する情報管理テーブル６３３，６３３，６３４の該当項目に蓄積、管理する処理を行うデータ蓄積管理制御部６１１と、例えば、管理者が後述の処理データイメージ表示画面（図１３、図１４、図１５参照）を用いて行う検索要求に基づき該検索要求時に指定された情報項目（検索項目）に対応する処理データを該当する各装置に対応する各情報管理テーブル６３３，６３４，６３５から集計し、該各装置毎の処理データの集計結果を、当該遊技店における各装置の配置態様と関連付けて表示装置６５にイメージ表示するイメージ表示制御部６１２が設けられる。
【００３１】
図７は、Ｔ／Ｃ６０の記憶部６３に設けられる台情報管理テーブル６３３の構成例を示す図である。
【００３２】
図７に示すように、Ｔ／Ｃ６０は、この台情報管理テーブル６３３（各台間処理ユニット２０毎に設けられる）を用いて、各台間処理ユニット２０毎に、該ユニットの台番号（この例では、「０１０１」）、遊技種（パチンコ／スロット）、本体ＩＤ、枠ＩＤ、ユニット本体部の蓋体に設けられる錠機構が施錠中または解錠中のいずれかの状態にあるかを示す状態情報、当該台間処理ユニット２０が現在受け入れているカードのカードＩＤを管理する。
【００３３】
また、台情報管理テーブル６３３においては、台間入金額、台間入金回数、台間入金分売上額、デビット発行分売上額、合計売上額、台間入金分売上回数、デビット発行分売上回数、カード売上回数の各項目の情報に関して、遊技客の種別（一般、会員）毎の集計値と、全ての種別の遊技客の上記各項目の情報毎の合計値を管理する。
【００３４】
更に、台情報管理テーブル６３３においては、当該台間処理ユニット２０内部における各金種（１００００円、５０００円、２０００円、１０００円、５００円、１００円）毎の貨幣のスタック枚数、カードのスタック枚数、再プレイ売上額並びに再プレイ売上回数の情報も管理する。
【００３５】
上記各項目の情報のうち、台番号、遊技種、本体ＩＤ、枠ＩＤは台間処理ユニット２０の設置時に登録され、それ以外の各項目の情報は、該当する台間処理ユニット２０がカードを受け入れて処理を実行している最中に逐次収集、更新される、
ここで、台情報管理テーブル６３３における台番号、遊技種、本体ＩＤ、枠ＩＤ以外の各項目情報の収集、更新処理について、図３に示す台間処理ユニット２０の構成及び動作とも関連付けて説明する。
【００３６】
台間処理ユニット２０では、遊技客によってプリペイドカードまたは会員カードのいずれかのカードがカード処理部２２に挿入されると、該カード処理部２２は挿入されたカードからカード種別〔一般カード（プリペイドカード）か、会員カードかを示す情報〕とカードＩＤを読取り、インタフェース（Ｉ／Ｆ）部２８を通じてＴ／Ｃ６０に送出する。
【００３７】
Ｔ／Ｃ６０では、台間処理ユニット２０から通信Ｉ／Ｆ部６６を通じて上記カード種別、カードＩＤを受信すると、該カード種別（プリペイドカードまたは会員カード）に対応するプリペイドカード管理テーブル６３１または会員管理テーブル６３２から当該カードＩＤに対応する残度数を読み出して台間処理ユニット２０に送信する。
【００３８】
台間処理ユニット２０は、Ｔ／Ｃ６０から送出された残度数を受信して表示部２１に表示する。
【００３９】
その後、遊技客が操作部２５に設けられた貸出ボタンを押下する貸出操作を行うと、台間処理ユニット２０は、予め設定された１回分貸出度数分の貸出要求をカードＩＤと共にＴ／Ｃ６０に送出する。
【００４０】
Ｔ／Ｃ６０は、台間処理ユニット２０から上記貸出要求を受信すると、該当するテーブルにおける当該カードＩＤに対応する残度数をチェックし、貸出要求度数が該残度数の範囲内であれば貸出許可を台間処理ユニット２０に通知する。
【００４１】
台間処理ユニット２０は、Ｔ／Ｃ６０から貸出許可を通知されると、遊技媒体投出機構（図２に例示するように、パチンコ機１０にあっては玉投出機構１５０）を駆動して１回分貸出度数分の遊技媒体（玉）を遊技機１０に対して投出する貸出処理を行う。
【００４２】
一方、Ｔ／Ｃ６０では、貸出許可を送出した後、該当するテーブルにおける当該カードＩＤに対応する残度数から貸出許可した分の度数を減算してその値を更新する。
【００４３】
次いで、Ｔ／Ｃ６０は、上記カード種別が一般カードか、会員カードかをチェックし、かつこの時の度数減算が一般発行分またはデビット発行分のいずれかを対象に行われたかをチェックする一方、この時の貸出し分の度数を金額に変換し、該金額を売上額として、当該台間処理ユニット２０に対応する台情報管理テーブル６３３（図７参照）の該当エリアに累積加算する処理を行う。
【００４４】
ここで、カード種別が一般でかつ度数減算対象が一般発行分であれば、上記貸出し分の度数を変換して得た金額を台間入金分売上額として、台情報管理テーブル６３３の台間入金分売上額における「一般」の欄に累積加算してその値を更新すると共に、同テーブル６３３の台間入金分売上回数における「一般」の欄に「１」を加算してその値を更新する。
【００４５】
また、カード種別が一般でかつ度数減算対象がデビット発行分であれば、上記貸出し分の度数を変換して得た金額をデビット発行分売上額として、台情報管理テーブル６３３のデビット発行分売上額における「一般」の欄に累積加算してその値を更新すると共に、同テーブル６３３のデビット発行分売上回数における「一般」の欄に「１」を加算してその値を更新する。
【００４６】
また、カード種別が会員でかつ度数減算対象が一般発行分であれば、上記貸出し分の度数を変換して得た金額を台間入金分売上額として、台情報管理テーブル６３３の台間入金分売上額における「会員」の欄に累積加算してその値を更新すると共に、同テーブル６３３の台間入金分売上回数における「会員」の欄に「１」を加算してその値を更新する。
【００４７】
また、カード種別が会員でかつ度数減算対象がデビット発行分であれば、上記貸出し分の度数を変換して得た金額をデビット発行分売上額として、台情報管理テーブル６３３のデビット発行分売上額における「会員」の欄に累積加算してその値を更新すると共に、同テーブル６３３のデビット発行分売上回数における「会員」の欄に「１」を加算してその値を更新する。
【００４８】
このように、台間処理ユニット２０では、プリペイドカードまたは会員カードを受け入れて該カードに価値付けされている有価価値を用いて遊技媒体を貸し出す処理を行い、一方、Ｔ／Ｃ６０は、遊技客によって貸出操作が行われる毎に台間処理ユニット３０でなされる貸出処理の処理データ（台間入金分売上額及び売上回数、デビット発行分売上額及び売上回数）を、台情報管理テーブル６３３上で逐次、収集、更新する。
【００４９】
遊技中、挿入中のカードの残度数が「零」になると、遊技客は、例えば、現金（紙幣）を投入することにより、該投入した現金の金額分の有価価値を挿入中のカードに追加して価値付けし、以後、この有価価値を用いて同様の遊技を続けることができる。
【００５０】
この場合、遊技客により現金（例えば、紙幣）が紙幣処理部２３に投入されると、台間処理ユニット２０は、該紙幣処理部２３で投入紙幣の金額を認識してその金額情報をＴ／Ｃ６０に送信し、一方、Ｔ／Ｃ６０は、該投入金額情報を受信し、該金額分の度数を当該カードＩＤに対応して該当するテーブルに加算する。
【００５１】
次いで、Ｔ／Ｃ６０は、台間処理ユニット２０から受信した金額情報を基に、当該金額を台間入金額として、当該台間処理ユニット２０に対応する台情報管理テーブル６３３における台間入金額の欄に累積加算する処理を行う。
【００５２】
ここでも、カード種別が一般カードか、会員カードかをチェックし、一般カードであれば、上記台間入金額を、台情報管理テーブル６３３の台間入金額における「一般」の欄に累積加算し、かつ、同テーブル６３３の台間入金回数における「一般」の欄に「１」を累積加算する。
【００５３】
また、上記カード種別が会員カードであれば、上記台間入金額を、台情報管理テーブル６３３の台間入金額における「会員」の欄に累積加算し、かつ、同テーブル６３３の台間入金回数における「会員」の欄に「１」を累積加算する。
【００５４】
上記の処理は、紙幣のみならず、硬貨処理部２４に硬貨が投入された場合にも同様に行われ、これにより、紙幣の投入による価値付けを各台間処理ユニット２０において行うことができる。
【００５５】
以後、この現金投入により価値付けされた度数を用いて遊技が行われる毎に、Ｔ／Ｃ６０は、上述した処理方法で、台間入金分売上額と台間入金分売上額を逐次更新する。
【００５６】
上記の如く、台間処理ユニット２０にプリペイドカードまたは会員カードを受け入れての遊技中、これらカードの有価価値が残存している状態で、遊技客によって、操作部２５に設けられた排出ボタンが押下されると、台間処理ユニット２０は、該カードをカード処理部２２から排出する。
【００５７】
遊技客は、排出されたカードを用いて、例えば、次の台間処理ユニット２０に移って該ユニット２０に対応する遊技機１０で上記同様の遊技が行うことができ、あるいは、該カードを精算機５０に挿入して有価価値を現金に精算することができる。
【００５８】
また、台間処理ユニット２０は、会員カードの挿入受付後、操作部２５で「再プレイ」ボタンが押下されると、当該会員カードから読取ったカード種別、カードＩＤと共に貯玉引落要求をＴ／Ｃ６０に送出する。
【００５９】
Ｔ／Ｃ６０は、台間処理ユニット２０から上記貯玉引落要求を受信すると、会員管理テーブル６３２における当該カードＩＤに対応する貯玉数を読み出して該貯玉数に対応する残度数を台間処理ユニット２０に送信する。
【００６０】
台間処理ユニット２０は、Ｔ／Ｃ６０から上記残度数を受信するとその値を表示部２１に表示させる。
【００６１】
その後、遊技客が、台間処理ユニット２０で遊技媒体の貸出し操作を行うと、台間処理ユニット２０は、予め設定された１回分貸出度数分の度数に相当する貯玉引落要求数を含む貯玉引落要求をカードＩＤと共にＴ／Ｃ６０に送出する。
【００６２】
Ｔ／Ｃ６０は、貯玉引落要求を受信すると、上記会員管理テーブル６３２における当該カードＩＤに対応する貯玉数をチェックし、貯玉引落要求数が該貯玉数の範囲内であれば貸出許可を台間処理ユニット２０に通知する。
【００６３】
台間処理ユニット２０は、Ｔ／Ｃ６０から貸出許可を通知されると、玉投出機構１５０を駆動して１回分貸出度数分の遊技媒体（玉）を遊技機（パチンコ機）１０に対して投出する貸出処理を行う。
【００６４】
一方、Ｔ／Ｃ６０では、貸出許可を送出した後、会員管理テーブル６３２における当該カードＩＤに対応する貯玉数から貸出許可した分の度数に相当する貯玉数を減算してその値を更新する。
【００６５】
次いで、Ｔ／Ｃ６０は、この時の引落分の貯玉数を金額に変換し、該金額を、当該台間処理ユニット２０に対応する台情報管理テーブル６３３の再プレイ売上額の欄に累積加算して再プレイ売上額を更新し、かつ、同テーブル６３３の再プレイ売上回数欄に「１」を加算して再プレイ売上回数を更新する処理を行う。
【００６６】
以上の処理によって、Ｔ／Ｃ６０は、台間処理ユニット２０におけるカード利用に基づく処理データとして、現金による入金額の合計値に相当する台間入金額及びその入金回数、該台間入金額のうちの遊技によって使用された分の金額に相当する台間入金売上額及びその売上回数、会員カードのカードＩＤに対応して価値付けされた貯玉を用いた再プレイによる累積売上額である再プレイ売上額及びその売上回数を収集、管理することができる。
【００６７】
一方、台間処理ユニット２０は、遊技客によるカードを用いた上記の如くの運用中、プリペイドカードあるいは会員カードに対する価値付けのための現金が投入されると、該現金の金種を認識して紙幣処理部２３、硬貨処理部２４にそれぞれ付随して設けられる貨幣スタック部（図２では符号２３１，２４１で示す）に収容する。
【００６８】
貨幣スタック部には、貨幣（紙幣及び硬貨）のスタック枚数を各金種毎に検知する手段（図示せず）が設けられ、各金種毎のスタック枚数が変更されると、該検知手段により検知された変更後のスタック枚数をＴ／Ｃ６０に送出する。
【００６９】
Ｔ／Ｃ６０は、スタック枚数を受信する毎に、当該台間処理ユニット２０に対応する台情報管理テーブル６３３における金種毎入金スタック枚数をこの時に変更の通知を受けた各金種毎に逐次更新（加算あるいは減算）する。
【００７０】
この処理により、Ｔ／Ｃ６０は、各台間処理ユニット２０における各貨幣の金種毎のスタック枚数をこれら各台間処理ユニット２０に対応する台情報管理テーブル６３３上で管理することができる。
【００７１】
また、台間処理ユニット２０は、価値付けがなされていない所定枚数のプリペイドカードをカードスタック部（図２では、符号２２１で示す）に予め収容している。
【００７２】
このカードスタック部２２１へのカード収容枚数は、例えば、閉店時間内に、係員によって、規定の枚数（例えば、１０枚）に調整される。その際、台間処理ユニット２０の記憶部２６の該当エリアにカードスタック枚数として上記規定枚数の値が書き込まれると共に、該カードスタック枚数がＴ／Ｃ６０に通知されて当該台間処理ユニット２０に対応する台情報管理テーブル６３３のカードスタック枚数の欄に書き込まれる。
【００７３】
この価値付けされていない規定枚数のプリペイドカードを事前に収容している台間処理ユニット２０は、開店後、遊技システムの運用中に、事前にプリペイドカードが挿入ないままに遊技客から現金の投入を受付けると、収容しているプリペイドカードの中から１枚のプリペイドカードを引き出して、該カードからカードＩＤを読み出し、該カードＩＤと投入金額情報をＴ／Ｃ６０に送出する。
【００７４】
Ｔ／Ｃ６０では、台間処理ユニット２０からカードＩＤと投入金額情報を受信すると、プリペイドカード管理テーブル６３１の当該カードＩＤに対応する残度数の欄に当該投入金額に対応する度数を書込む（加算する）。
【００７５】
その後、Ｔ／Ｃ６０は、遊技客が台間処理ユニット２０にプリペイドカードを挿入して遊技を行う場合と同様に、遊技媒体の貸出しがなされる毎に該貸し出した分の度数を当該カードＩＤに対応する度数から減算して更新する処理を実施する。
【００７６】
その後、残度数が残っている状態で、遊技客によって返却ボタンが押下されると、台間処理ユニット２０は、該プリペイドカードを排出（発行）する。返却ボタンを押下されるまでは、台間処理ユニット２０のＩＤで残度数の管理をしておいて、返却ボタン押下時にカードＩＤで管理するようにしてもよい。
【００７７】
かかる状況下でプリペイドカードが排出されると、台間処理ユニット２０は、記憶部２６に記憶しているカードスタック枚数から「１」を減算し、該減算結果をＴ／Ｃ６０に通知する。
【００７８】
そして、Ｔ／Ｃ６０では、上記減算結果の通知を受けると、当該台間処理ユニット２０に対応する台情報管理テーブル６３３のカードスタック枚数の欄を当該通知された値に更新する。
【００７９】
かかる運用（事前にプリペイドカードを受け入れることなく現金を受け入れて、その分の度数を記録したプリペイドカードを排出するケース）に際しても、Ｔ／Ｃ６０は、その後、上述したと同様、現金が投入される毎に投入金額と投入回数を、当該台間処理ユニット２０に対応する台情報管理テーブルの台間入金額と台間入金回数の各々「一般」の欄に加算し、更新する処理を行う。
【００８０】
また、台間処理ユニット２０では、プリペイドカードの挿入を受けて遊技に係わる処理を行っている時、挿入中のカードの残度数が「零」になった状況下で、遊技客により操作部２５に設けられる終了ボタンが押下された場合、あるいは、次のプリペイドカードが挿入された場合、該挿入中のカードをカードスタック部２２１に取り込む処理を行うと共に、該取り込んだカード枚数分をカードスタック枚数に加算する処理を行い、その都度、その加算結果をＴ／Ｃ６０に通知する。
【００８１】
そして、Ｔ／Ｃ６０では、上記加算結果を通知されると、台情報管理テーブル６３３のカードスタック枚数の欄を当該通知された値に逐次更新する。
【００８２】
この処理により、Ｔ／Ｃ６０は、各台間処理ユニット２０におけるプリペイドカードのスタック枚数を当該各ユニットに対応する台情報管理テーブル６３３上で管理することができる。
【００８３】
図８は、Ｔ／Ｃ６０の記憶部６３に設けられる精算機情報管理テーブル６３４の構成例を示す図である。
【００８４】
図８に示すように、Ｔ／Ｃ６０は、この精算機情報管理テーブル６３４（各精算機５０毎に設けられる）を用いて、遊技店内に配置された各精算機５０毎に、該精算機の号機番号（この例では、「０８０１」）に関連付けて、その動作状態、精算期間（例えば、遊技日当日）内おける精算に関する情報、精算期間が過ぎた後の更新期間における精算に関する情報、更新期間が過ぎた後の救済期間における精算に関する情報を管理している。
【００８５】
具体的に、通常の精算期間における精算に関する情報としては、台間入金分精算額及びその精算回数、デビット発行分精算額及びその精算回数をそれぞれ一般と会員との別に管理している。
【００８６】
Ｔ／Ｃ６０において、この通常の精算期間における精算に関する情報の管理処理は、精算機５０との間で以下の処理を行うことで実現できる。この管理処理について、図４に示す精算機５０の構成及び動作とも関連付けて説明する。
【００８７】
図４に示す構成を有する精算機５０では、遊技客によってプリペイドカードまたは会員カードのいずれかのカードがカード処理部５１に挿入されと、該挿入されたカードからカード種別とカードＩＤを読み出して通信インタフェース（Ｉ／Ｆ）部５８を介してＴ／Ｃ６０に送る。
【００８８】
Ｔ／Ｃ６０は、精算機５０から通信Ｉ／Ｆ部６６を介して上記カード種別及びカードＩＤを受信すると、該カード種別に対応するプリペイド管理テーブル６３１または会員管理テーブル６３２から、当該カードＩＤに対応する残度数欄（一般残度数欄、または、デビット発行分残度数欄）における残度数を読み出して当該精算機５０に送出する。
【００８９】
精算機５０は、Ｔ／Ｃ６０から当該挿入中のカードに関する残度数を受信すると、該残度数に相当する金額を液晶表示部５２に表示する。
【００９０】
この状態で、遊技客により、精算ボタン５３を押下する精算操作がなされると、精算機５０は、Ｔ／Ｃ６０に対してカードＩＤと共に精算要求を送る。
【００９１】
Ｔ／Ｃ６０は、精算機５０から上記精算要求を受信すると、当該カードＩＤに対応する発行日を該当テーブルから読み出して通常精算期間内か否かをチェックし、通常期間内であれば、当該カードＩＤに対応する残度数欄における残度数を「零」に更新したうえで、精算機５０に精算許可指令を送出する。
【００９２】
一方、精算機５０は、Ｔ／Ｃ６０から精算許可指令を受信すると、液晶表示部５２に表示中の金額分（先にＴ／Ｃ６０から通知を受けた残度数に相当する金額分）の貨幣を各金種毎に紙幣処理部５５及び貨幣処理部５６から外部に（遊技客に）排出する精算処理を行う。
【００９３】
上記精算処理の終了後（精算許可指令の送信後）、Ｔ／Ｃ６０は、精算要求と共に精算機５０から通知されたカード種別が一般カードか会員カードかをチェックすると共に、今回の精算対象度数が一般発行分であるかデビット発行分であるか（一般残度数欄の残度数が精算されたか、デビット発行分残度数欄の残度数が精算されたか）をチェックし、該チェック結果に基づき当該精算機５０に対応する精算機情報管理テーブル６３４における通常期間内の精算情報に関する更新処理を行う。
【００９４】
この更新処理において、Ｔ／Ｃ６０は、カード種別が一般カードでかつ精算対象度数が一般度数分であれば、当該精算機情報管理テーブル６３４の精算種別＝「精算」における台間入金分精算額の「一般」の欄に当該精算金額の値を加算し、かつ、同テーブル６３４の台間入金分精算回数の欄に「１」を加算する。
【００９５】
また、カード種別が会員でかつ精算対象度数が一般度数分あれば、当該精算機情報管理テーブル６３４の精算種別＝「精算」における台間入金分精算額の「会員」の欄に当該精算金額の値を加算し、かつ、同テーブル６３４の台間入金分精算回数の欄に「１」を加算する。
【００９６】
また、カード種別が一般カードでかつで精算対象度数がデビット発行分であれば、当該精算機情報管理テーブル６３４の精算種別＝「精算」におけるデビット発行分精算額の「一般」の欄に当該精算金額の値を加算し、かつ、同テーブル６３４のデビット発行分精算回数の欄に「１」を加算する。
【００９７】
また、カード種別が会員カードでかつで精算対象分がデビット発行分であれば、当該精算機情報管理テーブル６３４の精算種別＝「精算」におけるデビット発行分精算額の「会員」の欄に当該精算金額の値を加算し、かつ、同テーブル６３４のデビット発行分精算回数の欄に「１」を加算する。
【００９８】
上記処理により、Ｔ／Ｃ６０では、各精算機５０における通常精算期間内の精算情報である、台間入金分精算額及びその回数、デビット発行分精算額及びその回数、合計精算額（上記台間入金分精算額及びデビット発行分精算額の合計値）、カード精算回数（上記台間入金分精算回数及びデビット発行分精算回数の合計値）を当該各精算機５０に対応する精算機情報管理テーブル６３４上で管理することができる。
【００９９】
また、Ｔ／Ｃ６０は、遊技客が精算機５０にカードを挿入して精算ボタン５３を押下することにより該精算機５０から精算要求が送られてきた際に、当該カードＩＤに対応する発行日を該当するテーブルから読出し、該発行日をもとに通常精算期間が終了して更新期間内に入っていると判断した場合には、該精算機５０との間で、上述した通常期間内の精算処理と同様の処理を経て、該精算機５０に対応する精算機情報管理テーブル６３４上に、当該精算機５０における更新期間内の精算情報〔台間入金分更新額及びその回数、デビット発行分更新額及びその回数、合計更新額（上記台間入金分更新額及びデビット発行分更新額の合計値）、カード更新回数（上記台間入金分更新回数及びデビット発行分更新回数の合計値）：図８の精算機情報管理テーブル６３４中、精算種別＝「更新」の欄参照〕を一般及び会員の別に蓄積、管理することができる。
【０１００】
また、Ｔ／Ｃ６０は、精算機５０からの上記精算要求受付時のカード発行日チェックの際、該カード発行日をもとに、更新期間も過ぎていて、救済期間に入っていると判断した場合には、精算機５０での係員による救済措置（例えば、ハンディ端末機５７を操作して行う）の後、該救済措置に関する情報（救済回数）を収集することで、該精算機５０に対応する精算機情報管理テーブル６３４上に、当該精算機５０における救済期間内の精算情報（台間入金分救済回数、デビット発行分救済回数、及びこれら両回数の合計値であるカード救済回数：図８の精算機情報管理テーブル６３４中、精算種別＝「救済」の欄参照）を一般及び会員の別に蓄積、管理することができる。
【０１０１】
図９は、Ｔ／Ｃ６０の記憶部６３に設けられる券売機情報管理テーブル６３５の構成例を示す図である。
【０１０２】
図９に示すように、Ｔ／Ｃ６０は、この券売機情報管理テーブル６３５（各デビット券売機４０毎に設けられる）を用いて、遊技店内に配置された各デビット券売機４０毎に、該券売機の号機番号（この例では、「０７０１」）に関連付けて、その動作状態、並びに、デビット発行額、デビット発行回数、センター概算手数料、デビット設備利用に関する情報を一般と会員別に管理している。
【０１０３】
Ｔ／Ｃ６０において、この券売機情報管理テーブル６３２における各情報の管理処理は、デビット券売機４０との間で以下の処理を行うことで実現できる。この管理処理について、図２に示すデビット券売機４０の構成及び動作とも関連付けて説明する。
【０１０４】
図２に示すデビット券売機４０では、デビットカード処理部４７にデビットカードが挿入された後、外部操作入力部４３で所定の金額の金額ボタンが押下されると、該金額の決済要求をデビットカードから読取ったカードＩＤと共に第２通信Ｉ／Ｆ部４１ａを通じてデビット決済センタ８５に送信する。
【０１０５】
その後、デビット決済センタ８５から上記金額ボタンに対応する金額分のデビット決済完了の通知を受けると、制御部５０は、自装置の号機番号、デビット決済金額、プリペイドカード処理部４５の図示しないスタック部に事前に収容している１枚目のプリペイドカードから読取ったカードＩＤを含むカード発行要求を第１通信Ｉ／Ｆ部４１ｂを通じてＴ／Ｃ６０に送信する。
【０１０６】
Ｔ／Ｃ６０では、通信Ｉ／Ｆ部６６を通じてデビット券売機４０から上記カード発行要求を受信すると、プリペイド管理テーブル６３１の当該受信したカードＩＤに対応するデビット発行欄に、カード発行要求と共に受信したデビット決済額に対応する度数を記録し、その他、発行日等の必要な情報を該当する欄に記録した後、カード発行許可をデビット券売機４０に送信する。
【０１０７】
デビット券売機４０は、Ｔ／Ｃ６０からカード発行許可を受信すると、プリペイドカード処理部４５のスタック部から、上記カードＩＤを読み出した１枚目のプリペイドカードを引き出し、遊技客に対して排出（発行）する。
【０１０８】
これに合わせて、Ｔ／Ｃ６０は、デビットカード処理部４７に挿入されているデビットカードを排出し、かつ、印字部４８から、上記デビット決済金額を含む利用情報を印字したレシートを印刷出力する。
【０１０９】
このデビットカードを用いたプリペイドカードの発行処理に際して、Ｔ／Ｃ６０は、当該デビット券売機４０の号機番号に対応する券売機情報管理テーブル６３５のデビット発行額の「一般」の欄に上記デビット決済額に対応する金額をデビット発行額として書込むと共に、同テーブル６３５のデビット発行回数の「一般」の欄には発行回数を「１」を加算する。
【０１１０】
更に、上記デビット決済額に対応して予め決められているデビット決済センタ８５の概算手数料と、デビット設備利用料を、それぞれ、同テーブル６３５の該当する欄（センター概算手数料並びにデビット設備利用料の「一般」の欄：図９参照）に書き込む。
【０１１１】
また、デビット券売機４０では、会員カードを受け入れて、デビット決済による金額分の度数を価値付けして排出する処理も行う。この場合、遊技客（会員）は、デビット券売機４０のデビットカード処理部４７にデビットカードを挿入し、かつ、会員カード処理部４６に会員カードを挿入したうえで、外部操作入力部４３に設けられる所望の金額の金額ボタンを押下する。
【０１１２】
これにより、デビット券売機４０は、押下された金額ボタンに対応する金額の決済要求をデビットカードから読取ったカードＩＤと共に第２通信Ｉ／Ｆ部４１ａを通じてデビット決済センタ８５に送信する。
【０１１３】
その後、デビット決済センタ８５からデビット決済完了の通知を受けると、制御部５０は、自装置の号機番号、デビット決済金額、挿入されている会員カードから会員カード処理部が読み取ったカードＩＤを含むカード発行要求を第１通信Ｉ／Ｆ部４１ｂを通じてＴ／Ｃ６０に送信する。
【０１１４】
Ｔ／Ｃ６０では、通信Ｉ／Ｆ部６６を通じてデビット券売機４０から上記カード発行要求を受信すると、会員管理テーブル６３２の当該受信したカードＩＤに対応するデビット発行欄に、カード発行要求と共に受信したデビット決済額に対応する度数を記録し、その他、発行日等の必要な情報を該当する欄に記録した後、カード排出許可をデビット券売機４０に送信する。
【０１１５】
デビット券売機４０は、Ｔ／Ｃ６０からカード排出許可を受信すると、会員カード処理部４６から会員カードを排出すると共に、デビットカード処理部４７に挿入されているデビットカードの排出と、デビット決済金額を含む利用情報を印字したレシートの印字部４８からの発行処理を行う。
【０１１６】
この会員カードのデビット決済による価値付け処理に際して、Ｔ／Ｃ６０は、当該デビット券売機４０の号機番号に対応する券売機情報管理テーブル６３５のデビット発行額の「会員」の欄に上記デビット決済額に対応する金額をデビット発行額として書込むと共に、同テーブル６３５のデビット発行回数の「会員」欄には、発行回数を「１」を加算する。
【０１１７】
更に、上記デビット決済額に対応して予め決められているデビット決済センタ８５の概算手数料と、デビット設備利用料を、それぞれ、同テーブル６３５の該当する欄（センター概算手数料並びにデビット設備利用料の「会員」の欄：図９参照）に書き込む。
【０１１８】
上記処理により、Ｔ／Ｃ６０では、各デビット券売機４０毎のデビット発行額、デビット発行回数、デビット概算手数料、並びにデビット設備利用料を、当該各デビット券売機４０に対応する券売機情報管理テーブル６３５上で管理することができる。
【０１１９】
次に、Ｔ／Ｃ６０において、台情報管理テーブル６３３、精算機情報管理テーブル６３４、券売機情報管理テーブル６３５に蓄積、管理している処理データの表示処理について、図１０に示すフローチャートを参照して説明する。
【０１２０】
Ｔ／Ｃ６０において、管理下の各装置（台間処理ユニット２０、デビット券売機４０、精算機５０）の処理データを表示するためには、まず、Ｔ／Ｃ６０を起動（ステップＳ１０１）してシステムを稼動状態にし、管理下の各装置とＬＡＮ７０を通じてデータを送受する処理を開始させる。
【０１２１】
これ以後、Ｔ／Ｃ６０のデータ蓄積管理制御部６１１は、管理下の各装置から処理データを収集し（ステップＳ１０２）、該収集したデータに基づいて、当該各装置に対応する台情報管理テーブル６３３、精算機情報管理テーブル６３４、券売機情報管理テーブル６３５における該当する項目の処理データを更新する処理（ステップＳ１０３）を逐次実施する。
【０１２２】
この間、管理者が、上記各装置の処理データを表示する必要に迫られた場合、入力装置６４を用いて、処理データの表示を指示するための所定の指示操作を行う。
【０１２３】
一方、Ｔ／Ｃ６０では、上記各装置からの処理データの収集、更新処理（ステップＳ１０２，Ｓ１０３）を実施しながら、入力装置６４において上記処理データ表示指示操作がなされたか否かを監視（ステップＳ１０４）している。
【０１２４】
ここで、該処理データ表示指示操作がなされると（ステップＳ１０４ＹＥＳ）、イメージ表示制御部６１２は、台情報管理テーブル６３３、精算機情報管理テーブル６３４、券売機情報管理テーブル６３５の情報の中から最初に検索する項目として予め定めてある検索項目に該当する処理データを読み出すと共に、これらのうちの必要なデータを集計して新規の項目の集計データを生成し、該読み出したデータ及び集計データを各台間処理ユニット２０の遊技店内での配置に対応付けて表示するためのイメージデータ（画像データ）を生成し（ステップＳ１０５ａ）、該イメージデータを基に表示装置６５に処理データのイメージ表示を行う（ステップＳ１０５ｂ）。
【０１２５】
以下、上記ステップＳ１０４における処理データ表示指示操作に基づき、ステップＳ１０５ａ及びＳ１０５ｂでなされる処理データイメージ表示処理（ステップＳ１０５）について、図１１及び図１２を参照して更に詳しく説明する。
【０１２６】
図１１及び図１２は、図１０のステップＳ１０５における処理データイメージ表示処理の詳細を示すフローチャートであり、特に、図１２は、図１１におけるステップＳ２５１における主検索項目指定外処理を示すものである。
【０１２７】
図１１のステップＳ２０１において、イメージ表示制御部６１２は、図１０のステップＳ１０４での処理データ表示指示に基づき、同、ステップＳ１０５で最初に表示する処理データイメージ表示画面として、例えば、図１３に示すように、ホールマップ表示画面９１と凡例表示画面９３をイメージ表示している。
【０１２８】
図１３に示すように、このイメージ表示画面において、ホールマップ表示画面９１には、当該遊技店内における各装置（上述した台間処理ユニット２０、デビット券売機４０、精算機５０：これら各装置とＴ／Ｃ６０とによって、遊技用記録媒体システムが構築される）の配置に準じて該各装置に対応する装置イメージを配列表示した装置イメージ表示領域９１１の他、例えばカード入金・売上額表示、カードスタック状況、紙幣スタック状況の中からいずれかの検索対象項目を選択的に指定する検索項目指定ツール９１２、検索対象エリア（フロア）を例えば１階（１Ｆ）または２階（２Ｆ）の中から選択的に指定する検索エリア指定ツール９１３、検索項目（例えば、カード入金・売上額表示）に含まれる複数の項目種別（同、入金または売上）の中から所望の項目種別を選択的に指定する種別指定ツール９１４、個別検索対象の装置の識別情報（台番号）を指定する台番号指定ツール９１５、検索開始を指示する「検索」ボタン９１６、凡例表示画面９３を非表示とすることを指示する「凡例非表示」ボタン９１７、ズームイン表示を指示する「ズームイン」ボタン９１８、ズームアウトを指示する「ズームアウト」ボタン９１９が表示される。
【０１２９】
また、凡例表示画面９３には、検索項目指定ツール９１２により指定された検索項目（種別指定ツール９１４により項目種別が指定された場合には該検索項目における当該指定された項目種別）の情報（集計値）の値に関する複数の領域範囲と当該各領域範囲に対応する装置イメージの表示パターン（表示態様：例えば、色）との対応関係を規定した凡例データの設定内容を表示した設定内容表示領域９３１と、該凡例データの設定要求を指示する「設定」ボタン９３２が表示される。
【０１３０】
このイメージ表示画面の表示中、管理者は、ホールマップ表示画面９１上の検索項目指定ツール９１２を用いて、カード入金・売上額表示、カードスタック状況あるいは紙幣スタック状況のうちのいずれかの検索項目（主検索項目）を選択的に指定することができる。
【０１３１】
また、その際、エリア指定ツール９１３と種別指定ツール９１４を用いて、それぞれ、検索対象エリア（フロア）と、検索項目指定ツール９１２により指定された主検索項目中の検索項目種別を選択的に指定できる。
【０１３２】
一方、Ｔ／Ｃ６０では、図１１のステップＳ２０１における上記イメージ表示画面（図１３参照）の表示中、イメージ表示制御部６１２が、ホールマップ表示画面９１あるいは凡例表示画面９３上の各ツールを用いた何等かの指示入力があったか否かを監視している（ステップＳ２０２）。
【０１３３】
ここで、指示入力があったと判定されると（ステップＳ２０２ＹＥＳ）、イメージ表示制御部６１２は、まず、当該指示内容が、ホールマップ表示画面９１の検索項目指定ツール９１２による主検索項目の指定であるか否かをチェックする（ステップＳ２０３）。
【０１３４】
ここで、指示内容が主検索項目の指定でない場合（ステップＳ２０３ＮＯ）、主検索項目指定外処理（ステップＳ２５１）に進む。なお、この主検索項目指定外処理については、図１２を参照して後で詳しく述べる。
【０１３５】
これに対し、ステップＳ２０２で入力された指示内容が検索項目指定ツール９１２による主検索項目の指定であった場合（ステップＳ２０３ＹＥＳ）、次いで、この検索項目指定ツール９１２によって、カード入金・売上額表示、カードスタック状況あるいは紙幣スタック状況のうちのいずれの主検索項目が指定されたかを順次チェックする。
【０１３６】
まず、はじめに、指定された主検索項目がカード入金・売上額表示であるか否かをチェックし（ステップＳ２０４）、ここで、カード入金・売上額表示が指定されている場合（ステップＳ２０４ＹＥＳ）、更に、種別指定ツール９１４を用いて、検索項目種別として、「入金」または「売上」のいずれが検索種別として指定されたかチェックする（ステップＳ２０５）。
【０１３７】
ここで、検索項目種別として「入金」が指定されている場合（ステップＳ２０５で入金）、イメージ表示制御部６１２は、当該時点でこの時の検索エリア＝１Ｆにある各台（台間処理ユニット２０）に対応する台情報管理テーブル６３３に記憶されているデータをチェックしてこれら各台毎の台間入金額の「一般」の欄と「会員」の欄に記憶された金額を読み取ってこれらの合計値（カード入金額）を算出（集計）する（ステップＳ２０６）。
【０１３８】
次に、この算出した各台のカード入金額を基に当該各台の装置表示イメージを決定する。この処理を行うために、Ｔ／Ｃ６０は、カード入金額については、例えば、図１３の凡例表示画面９３に表示されるように、５０００円未満（０〜４，９９９）、５０００円以上〜１００００円未満（５，０００〜９，９９９）、１００００円以上〜１５０００円未満（１０，０００〜１４，９９９）、…という金額領域毎の区切りに対して、各金額領域にそれぞれ異なる態様の装置イメージ表示パターンを対応付けて凡例データとして設定する機能を有している。
【０１３９】
上記ステップＳ２０７の処理において、イメージ表示制御部６１２は、ステップＳ２０６で算出した各台のカード入金額が上記凡例データにおけるどの金額領域に属しているかを判定し、該判定した金額領域に対応する装置イメージ表示パターンを特定して当該各装置イメージの表示パターンとして決定する（ステップＳ２０７）。
【０１４０】
次いで、イメージ表示制御部６１２は、表示中のホールマップ表示画面９１の表示内容を、イメージ表示領域９１１内の各装置イメージが当該各装置毎に決定した表示パターンにより表現されたカード入金額検索結果画面に更新する（ステップＳ２０８）。
【０１４１】
図１３では、特に、検索項目指定ツール９１２によって、カード入金・売上額表示が指定され、検索エリア指定ツール９１３によって検索対象エリア＝１Ｆが指定され、種別指定ツール９１４によって「入金」が指定され時のホールマップ表示画面９１並びに凡例表示画面９３（図１０のステップＳ１０４での指示に基づき最初に表示される画面に相当）の表示例を示している。
【０１４２】
この例において、凡例表示画面９３の表示内容は当該時点におけるカード入金額に関する凡例データの設定内容を反映したものであり、入金額（単位：円）が（０〜４，９９９）、（５，０００〜９，９９９）、（１０，０００〜１４，９９９）、（１５，０００〜１９，９９９）、（２０，０００〜２４，９９９）、（２５，０００〜２９，９９９）、（３０，０００〜）の７つの金額領域に分けられ、これら各金額領域に対応じてそれぞれ異なる態様の装置イメージ表示パターンが対応つけ設定されている様子が表示される。
【０１４３】
また、この時の対象外の装置、及び異常〔縮退運用（台間処理ユニット２０がＴ／Ｃ６０と通信不能となり、自装置で特定の金額の入金を受けて該入金額分の遊技媒体の一括貸出しを行うように制限された運用状態）中を含む〕が発生している装置（台間処理ユニット２０）に対しても上記７パターンとはそれぞれ異なる装置イメージ表示パターンが対応付けられている様子が表示されている。
【０１４４】
この凡例表示画面９３と一緒に表示されるホールマップ表示画面９１の装置イメージ表示領域９１１内において、各台（台間処理ユニット２０）は、当該各台に対応する台情報管理テーブル６３３に保持されている情報を集計して得られた台間入金額が含まれる金額領域に対応して設定されている装置イメージ表示パターンで表示されている。
【０１４５】
また、対象外の装置（この例では、デビット券売機４０，精算機５０）、並びに異常の発生している台（台間処理ユニット２０）も、それぞれ、当該対象外および異常に対応して設定された装置イメージ表示パターンで表示される。
【０１４６】
ここで、異常が発生した装置を該異常を示す装置イメージ表示パターンで表示するために、Ｔ／Ｃ６０は、上記ステップＳ２０７でのカード入金額の集計に合わせて各装置に対応する台情報管理テーブル６３３から各台の状態を示す情報も収集し、続くステップＳ２０８において該収集した状態情報が異常を示している場合には当該装置の装置イメージ表示パターンを異常の発生に対応する表示パターンに決定して該表示パターンで当該装置イメージを表示する。
【０１４７】
なお、図１３においては、ホールマップ表示画面９１中、装置イメージ表示領域の９１１内の各装置イメージの表示パターンは、表現の都合上、カード入金額の各金額領域にそれぞれに対応して線種及び線数等を変えた斜線の組み合わせによって表現されているが、実際の運用においては、カード入金額の各金額領域にそれぞれに対応した色で表示する方法が考えられる。
【０１４８】
また、図１３において、各装置の装置イメージは、それぞれの装置のカード入金額の金額領域に対応した表示パターン（色）で表示しかつ台番号を付加した内容で表示されているが、当該各装置の装置イメージ領域内に各装置のカード入金額の値を併せ表示するようにしても良い。
【０１４９】
再び、ステップＳ２０５まで説明を戻すと、該ステップＳ２０５において、検索項目種別として「売上」が指定されている場合（ステップＳ２０５で売上）、イメージ表示制御部６１２は、当該時点で該当する台（台間処理ユニット２０）に対応する台情報管理テーブル６３１に記憶されている情報をチェックして各台毎の合計売上額の「一般」の欄と「会員」の欄に記憶された金額を読み取ってこれらの合計値（カード売上額）を算出（集計）する（ステップＳ２０９）。
【０１５０】
次に、この算出した各台のカード売上額を基に当該各台の装置表示イメージを決定する。この処理において、イメージ表示制御部６１２は、ステップＳ２０７と同様に凡例データ（但し、この時の対象は、カード入金額の各金額領域にそれぞれ異なる態様の装置イメージ表示パターンが対応付け設定されたもの）を参照し、ステップＳ２０９で算出した各台のカード入金額が該カード入金額に関する凡例データにおけるどの金額領域に属しているかを判定し、該判定した金額領域に対応する装置イメージ表示パターンを特定して当該各装置の表示パターンとして決定する（ステップＳ２１０）。
【０１５１】
次いで、イメージ表示制御部６１２は、表示中のホールマップ表示画面９１の表示内容を、装置イメージ表示領域９１１内の各装置イメージが当該各装置毎に決定した装置イメージ表示パターンにより表現されたカード売上額検索結果画面に更新する（ステップＳ２１１）。
【０１５２】
この時も、対象外の装置（この例では、精算機５０、デビット券売機４０）、並びに異常の発生している装置の装置イメージは、それぞれ、当該対象外および異常に対応して設定された装置イメージ表示パターンで表示する。
【０１５３】
再び、ステップＳ２０４まで説明を戻すと、該ステップＳ２０４において、指定された主検索項目がカード入金・売上額表示でない場合（ステップＳ２０４ＮＯ）、次に、イメージ表示制御部６１２は、指定された主検索項目がカードスタック枚数か否かをチェックする（ステップＳ２２１）。
【０１５４】
ここで、指定された主検索項目がカードスタック枚数であった場合（ステップＳ２２１ＹＥＳ）、イメージ表示制御部６１２は、当該時点でこの時の検索エリア＝１Ｆにある各台（台間処理ユニット２０）に対応する台情報管理テーブル６３３に記憶されているデータをチェックしてこれら各台毎のカードスタック枚数を読み出す（ステップＳ２２２）。
【０１５５】
次に、この読み出したカードスタック枚数を基に当該各台の装置イメージの表示パターンを決定する（ステップＳ２２３）。
【０１５６】
この処理を行うために、Ｔ／Ｃ６０は、カードスタック枚数については、例えば、図１４における凡例表示画面９３に表示されるように、エンプティ（例えば、０枚）、ニアエンプティ（同、２枚）、適正値（同、１０枚）、ニアフル（同、１８枚）、フル（同、２０枚）というようにスタック枚数領域の区切りが設けられ、これらスタック枚数領域毎にそれぞれ異なる態様の装置イメージ表示パターンを対応付けて凡例データとして設定している。
【０１５７】
上記ステップＳ２２３の処理において、イメージ表示制御部６１２は、ステップＳ２２２で読み出したカードスタック枚数が上記凡例データにおけるどの枚数領域に属しているかを判定し、該判定した枚数領域に対応する装置イメージ表示パターンを特定して当該各装置の装置イメージ表示パターンとして決定する。
【０１５８】
この表示パターンの決定後、イメージ表示制御部６１２は、図１４に示す如く、検索項目指定ツール９１２の指定が「カードスタック状況」とされ、かつ、装置イメージ表示領域９１１内の各装置イメージが当該各装置毎にそのカードスタック枚数領域に対応して決定された装置イメージ表示パターンにより表示されて成るホールマップ表示画面９１と、カードスタック状況に関する凡例データ設定内容を表示する凡例表示画面９３とで構成されるカードスタック状況検索結果表示画面を表示する（ステップＳ２２４）。
【０１５９】
図１４の例において、凡例表示画面９３の表示内容は当該時点におけるカードスタック枚数に関する凡例データの設定内容を反映したものであり、カードスタック枚数が、エンプティ（例えば、０枚）、ニアエンプティ（同、２枚）、適正値（同、１０枚）、ニアフル（同、１８枚）、フル（同、２０枚）の５つの枚数領域の区切りが設けられ、これら枚数領域毎にそれぞれ異なる態様の装置イメージ表示パターンを対応付けて設定されている様子が表示される。
【０１６０】
また、対象外の装置、及び異常（縮退運用中含む）が発生している装置に対しても上記５パターンとはそれぞれ異なる装置イメージ表示パターンが対応付けられている様子が表示される。
【０１６１】
そして、この凡例表示画面９３と一緒に表示されるホールマップ表示画面９１の装置イメージ表示領域９１１上において、各台（台間処理ユニット２０）は、当該各台に対応する台情報管理テーブル６３３に保持されているカードスタック枚数が属する枚数領域に対応して設定されている装置イメージ表示パターンで表示されている。
【０１６２】
また、上記装置イメージ表示領域９１１上の各装置イメージ領域内には、それぞれ、該当する各装置の台番号（上段）と当該各装置の処理データの集計値（この例ではカードスタック枚数：下段）が表示される。
【０１６３】
また、対象外の装置（この例では、デビット券売機４０，精算機５０）、並びに異常の発生している台（台間処理ユニット２０）の装置イメージも、それぞれ、当該対象外および異常に対応して設定された表示パターンで表示される。
【０１６４】
また、上記ステップＳ２２１において、指定された主検索項目がカードスタック枚数でない場合（ステップＳ２２１ＮＯ）、次いで、イメージ表示制御部６１２は、指定された主検索項目が紙幣スタック枚数であるか否かをチェックする（ステップＳ２３１）。
【０１６５】
ここで、指定された主検索項目が紙幣スタック枚数であった場合（ステップＳ２３１ＹＥＳ）、イメージ表示制御部６１２は、当該時点でこの時の検索エリア＝１Ｆにある各台（台間処理ユニット２０）に対応する台情報管理テーブル６３３に記憶されているデータをチェックしてこれら各台毎の各金種の紙幣スタック枚数を読出し、これらの合計値（紙幣スタック枚数）を集計する（ステップＳ２３２）。
【０１６６】
次に、この集計した紙幣スタック枚数を基に当該各台の装置イメージ表示パターンを決定する（ステップＳ２３３）。
【０１６７】
この処理を行うために、Ｔ／Ｃ６０は、紙幣スタック枚数については、例えば、図１５における凡例表示画面９３に表示されるように、遊技機種（パチンコまたはスロット）別に、紙幣スタック枚数の枚数領域の区切りが設けられ、これら各枚数領域毎にそれぞれ異なる態様の装置イメージ表示パターンを対応付けて凡例データとして設定している。
【０１６８】
上記ステップＳ２３３の処理において、イメージ表示制御部６１２は、ステップＳ２３２で集計した紙幣スタック枚数が上記凡例データにおけるどの枚数領域に属しているかを判定し、該判定した枚数領域に対応する装置イメージ表示パターンを特定して当該各装置の装置イメージの表示パターンとして決定する。
【０１６９】
この表示パターンの決定後、イメージ表示制御部６１２は、図１５に示す如く、検索項目指定ツール９１２の指定が「紙幣スタック状況」とされ、かつ、装置イメージ表示領域９１１内の各装置の装置イメージが当該各装置毎にその紙幣スタック枚数領域に応じて決定された装置イメージ表示パターンにより表示されて成るホールマップ表示画面９１と、紙幣スタック状況に関する凡例データ設定内容を表示する凡例表示画面９３とで構成される紙幣スタック状況検索結果表示画面を表示する（ステップＳ２３４）。
【０１７０】
図１５の例において、凡例表示画面９３の表示内容は当該時点における紙幣スタック枚数に関する凡例データの設定内容を反映したものであり、パチンコ台については、０枚、１枚〜９枚、１０枚〜２９枚、３０枚〜５９枚、６０枚〜８０枚、ニアフル、フルの枚数領域の区切りが設けられ、スロット台については、０枚、１枚〜４９枚、５０枚〜９９枚、１００枚〜１４９枚、１５０枚〜１９０枚、ニアフル、フルの枚数領域の区切りが設けられると共に、これら各遊技機種別の枚数領域毎にそれぞれ異なる態様の装置イメージ表示パターンが対応付けて設定されている様子が表示される。
【０１７１】
また、対象外の装置、及び異常（縮退運用中含む）が発生している装置に対しても上記パターンとはそれぞれ異なる装置イメージ表示パターンが対応付けられている様子が表示される。
【０１７２】
そして、この凡例表示画面９３と一緒に表示されるホールマップ表示画面９１の装置イメージ表示領域９１１上において、各台（台間処理ユニット２０）の装置イメージは、当該各台に対応する台情報管理テーブル６３３に保持されている各金種の紙幣スタック枚数から集計した紙幣スタック枚数が属する枚数領域に対応して設定されている装置イメージ表示パターンで表示されている。
【０１７３】
また、上記装置イメージ表示領域９１１上の各装置イメージ領域内には、それぞれ、該当する各装置の台番号（上段）と当該各装置の処理データの集計値（この例では紙幣スタック枚数：下段）が表示される。
【０１７４】
また、対象外の装置（この例では、デビット券売機４０，精算機５０）、並びに異常の発生している台（台間処理ユニット２０）の装置イメージも、それぞれ、当該対象外および異常に対応して設定された装置イメージ表示パターンで表示される。
【０１７５】
更に、上記ステップＳ２３１において、指定された主検索項目が紙幣スタック枚数でない場合（ステップＳ２３１ＮＯ）、引き続き、イメージ表示制御部６１２は、指定された主検索項目が上記カード入金・売上、カードスタック状況及び紙幣スタック状況以外の主検索項目であることを認識して、該主検索項目（他の主検索項目）に対応する処理データの集計と、該集計結果のイメージ表示の処理を行う（ステップＳ２４１）。
【０１７６】
ステップＳ２４１で実施する「他の主検索項目」に対応するイメージ表示処理の例としては、例えば、現在表示中の処理データイメージ表示画面におけるホールマップ画面９１上の検索項目指定ツール９１２を用いて、主検索項目として、「施／解錠状態」の指定を受付けて各台の施／解錠状態をイメージ表示する処理が考えられる。
【０１７７】
この処理に対応すべく、Ｔ／Ｃ６０のデータ蓄積管理制御部６１１では、図７を参照して既に述べた通り、管理下の各装置（台間処理ユニット２０）に設けられる錠機構（図３では図示せず）の施錠または解錠の状態を示す施／解錠情報をリアルタイムに収集し、これら各装置に対応する台情報管理テーブル６３３に蓄積管理している。
【０１７８】
これにより、イメージ表示制御部６１２は、図１１のステップＳ２３１ＮＯの判定の後、主検索項目として「施／解錠状態」が指定されていると判定した場合には、続くステップＳ２４１において、今回の検索対象の各台（例えば、１Ｆに設置される台間処理ユニット２０）に対応する台情報管理テーブル６３３から当該各台の施／解錠情報を読出し、該施／解錠情報に基づいて、当該各台の錠機構の施錠または解錠の状態をホールマップ画面９１の装置イメージ表示領域９１１内に各装置に対応付けて表示することができる。
【０１７９】
この場合においても、施錠状態と解錠状態とに各々対応付けて装置イメージ表示パターンを設定しておき、上記装置イメージ表示領域９１１内の各装置の装置イメージを該当する各装置の施／解錠状態に応じた表示パターンで表示するようにしても良い。
【０１８０】
上述した各主検索項目（カード入金・売上額表示、カードスタック状況、紙幣スタック状況、その他）の指定に基づく処理データイメージ表示画面（図１３、図１４、図１５参照）の表示中、管理者は、ホールマップ表示画面９１上の「凡例非表示」ボタン９１７を押下することにより、現在表示されている凡例表示画面９３を消し（閉じ）、ホールマップ表示画面９１のみ表示する内容に切換えることができる。
【０１８１】
また、凡例表示画面９３上で「設定」ボタン９３２を押下することで当該検索項目に関する凡例データを設定変更することも可能である。
【０１８２】
更には、ホールマップ表示画面９１上の台番号指定ツール９１５を用いて所望の台の台番号を入力し、「検索」ボタン９１６を押下することで、現在表示されているホールマップ表示画面９１に代えて、当該指定した台の詳細データを表示させることができる。
【０１８３】
かかる運用を踏まえて、図１１におけるステップＳ２５１の主検索項目指定外処理について説明する。
【０１８４】
図１１のステップＳ２０１において、表示装置６５に、図１３〜図１５のいずれかに示す内容の処理データイメージ表示画面を表示している時に、ホールマップ表示画面９１あるいは凡例表示画面９３上の各ツールを用いた何等かの指示入力があり（ステップＳ２０２ＹＥＳ）、その指示内容が、ホールマップ表示画面９１の検索項目指定ツール９１２による主検索項目の指定でないと判定されると（ステップＳ２０３ＮＯ）、Ｔ／Ｃ６０は、図１２に示す主検索項目指定外処理（ステップＳ２５１）に進む。
【０１８５】
図１２に示す主検索項目指定外処理において、Ｔ／Ｃ６０は、まず、図１１のステップＳ２０２で入力された指示内容が、表示中のイメージ表示画面上の凡例表示画面９３の「設定」ボタン９３２の押下による凡例データ設定指示であるか否かをチェックする（ステップＳ２５１１）。
【０１８６】
ここで、上記「設定」ボタン９３２の押下による凡例データ設定指示である場合（ステップＳ２５１１ＹＥＳ）、制御部６１は、凡例データの設定処理（ステップＳ２５１２）へと移行する。なお、この凡例データ設定処理については、図１９及び図２０を参照して後で詳述するものとし、ここでの詳しい説明は割愛する。
【０１８７】
これに対し、上記「設定」ボタン９３２の押下による凡例データ設定指示でない場合（ステップＳ２５１１ＹＥＳ）、次いで、制御部６１は、表示中のイメージ表示画面上のホールマップ画面９１の「凡例非表示」ボタン９１７の押下による凡例非表示指示であるか否かをチェックする（ステップＳ２５１３）。
【０１８８】
ここで、上記「凡例非表示」ボタン９１７の押下による凡例非表示指示でないと判定された場合（ステップＳ２５１３ＮＯ）にはそのままステップＳ２５１５に進み、また、凡例非表示指示であると判定された場合（ステップＳ２５１３ＹＥＳ）は、表示中の凡例表示画面９３を閉じ（ステップＳ２５１４）、ホールマップ表示画面９１のみを表示する状態にイメージ表示画面の表示内容を更新する。
【０１８９】
引き続き、制御部６１は、表示中のイメージ表示画面のホールマップ表示画面９１上の台番号指定ツール９１５を用いた台番号の入力と、これに続く「検索」ボタン９１６の押下による装置個別検索指示であるか否かをチェックする（ステップＳ２５１１）。
【０１９０】
ここで、装置個別検索指示でないと判定された場合（ステップＳ２５１５ＮＯ）、図１１におけるステップＳ２０１に戻り、当該イメージ表示画面の表示を続ける。
【０１９１】
これに対し、装置個別検索指示であると判定された場合（ステップＳ２５１５ＹＥＳ）、次いで、イメージ表示制御部６１２は、この時に台番号指定ツール９１５を用いて入力された台番号に対応する台情報管理テーブル６３３、券売機情報管理テーブル６３４、精算機情報管理テーブル６３５のうちの該当するテーブルから当該時点の処理データを読み出し、必要なデータについてはその集計を行ったうえで（ステップＳ２５１６）、該読出したデータ及び集計したデータを基に当該装置の詳細データを表示装置６５に表示する（ステップＳ２５１７）。
【０１９２】
図１６は、ステップＳ２５１５での装置個別検索指示に際していずれかの台間処理ユニット２０の台番号（この例では、「０１０５」）が入力された場合における台詳細画面９５の表示例を示す図である。
【０１９３】
図１６に示すように、この台詳細画面９５には、台情報管理テーブル６３３（図７参照）で管理されている当該台番号の台間処理ユニット２０に関する各種情報、すなわち、台番号、遊技機種、本体ＩＤ、枠ＩＤ、挿入中のカードのカードＩＤ、当該カードＩＤに対応する残度数、当該ユニット２０が施錠状態か解錠状態かを示す情報（この例では、解錠中）、カードによる入金・売上に関する情報（台間入金額及び回数、台間入金分売上額及び回数、デビット発行分売上額及び回数、合計売上額、カード売上回数）、金種毎の入金スタック枚数、カードのスタック枚数、再プレイ売上額及び回数の情報が表示される。
【０１９４】
この他、台詳細画面９５には、「前台」ボタン９５１、「次台」ボタン９５２、「エラー参照」ボタン９５３、「閉じる」ボタン９５４が表示される。
【０１９５】
この台詳細画面９５の表示中、イメージ表示制御部６１２は、「前台」ボタン９５１または「後台」ボタン９５２が押下されたか否かを監視し（ステップＳ２５１８）、押下されていない場合（ステップＳ２５１８ＮＯ）は、「閉じる」ボタン９５４が押下されない（ステップＳ２５１９ＮＯ）限りこの監視処理を続ける。
【０１９６】
この間、「前台」ボタン９５１または「次台」ボタン９５２のいずれかが押下された場合（ステップＳ２５１８ＹＥＳ）、台情報管理テーブル６３３における現在の台番号の１つ前の台番号または１つ後の（次の）台番号に対応する台間処理ユニット２０に対応する台情報管理テーブル６３３から情報を読み出し、必要なデータについてはその集計を行ったうえで（ステップＳ２５１６）、該読出したデータ及び集計したデータを基に当該台間処理ユニット２０の詳細データを表示装置６５に図１６に示す態様で表示する（ステップＳ２５１７）。
【０１９７】
このようにして、前の台あるいは次の台の台詳細画面９５を表示する処理を続けていくうちに、該表示中の台詳細画面９５上で「閉じる」ボタン９５４が押下されると（ステップＳ２５１９ＹＥＳ）、イメージ表示制御部６１２」は、当該台詳細画面９５を表示する前のイメージ表示画面の表示（図１１におけるステップＳ２０１）に戻す。
【０１９８】
なお、図１３における台詳細画面９５上で「エラー参照」ボタン９５３を押下することで、当該台間処理ユニット２０のエラー状況を表示してこれを確認できる。
【０１９９】
図１７は、図１２のステップＳ２５１５での装置個別検索指示に際していずれかの精算機５０の号機番号（この例では、「０８０３」）が入力された場合における精算機詳細画面９６の表示例を示す図である。
【０２００】
図１７に示すように、この精算機詳細画面９６には、精算機情報管理テーブル６３４（図８参照）で管理されている当該号機番号の精算機５０に関する各種情報、すなわち、当該精算機５０の号機番号、動作状態、精算期間内精算情報（台間入金分精算額及び回数、デビット発行分精算額及び回数、合計精算額、カード精算回数）、更新期間内精算情報（台間入金分更新額及び回数、デビット発行分更新額及び回数、合計更新額、カード更新回数）、救済期間内精算情報（台間入金分救済回数、デビット発行分救済回数、カード救済回数）が表示される。
【０２０１】
この他、精算機詳細画面９６には、「前号機」ボタン９６１、「次号機」ボタン９６２、「エラー参照」ボタン９５３、「閉じる」ボタン９５４が表示される。
【０２０２】
この精算機詳細画面９６の表示中、管理者は、上記台詳細画面９５の表示中と同様、「前号機」ボタン９６１を押下することで現在表示中の精算機５０の１つ前の号機番号の精算機５０の詳細データを表示することができ、また、「次号機」ボタン９６２を押下することで現在表示中の精算機５０の１つ後の（次の）号機番号の精算機５０の詳細データを表示することができる。
【０２０３】
また、この精算機詳細画面９６上で「エラー参照」ボタン９６３を押下することで、当該表示中の精算機５０のエラー状況を表示することができ、「閉じる」ボタン９６４を押下することで精算機詳細画面９６を表示する前のイメージ表示画面の表示に戻すことができる。
【０２０４】
図１８は、図１２のステップＳ２５１５での装置個別検索指示に際していずれかのデビット券売機４０の号機番号（この例では、「０７０２」）が入力された場合におけるデビット券売機詳細画面９７の表示例を示す図である。
【０２０５】
図１８に示すように、このデビット券売機詳細画面９７には、券売機情報管理テーブル６３５（図９参照）で管理されている当該号機番号のデビット券売機４０に関する各種情報、すなわち、当該デビット券売機４０の号機番号、動作状態、デビット発行額、デビット発行回数、センター概算手数料及びデビット設備利用料が表示される。
【０２０６】
この他、デビット券売機詳細画面９７には、「前号機」ボタン９７１、「次号機」ボタン９７２、「エラー参照」ボタン９７３、「閉じる」ボタン９７４が表示される。
【０２０７】
このデビット券売機９７の表示中、管理者は、上記台詳細画面９５並びに精算機詳細画面９６の表示中と同様、「前号機」ボタン９７１を押下することで現在表示中のデビット券売機４０の１つ前の号機番号のデビット券売機４０の詳細データを表示することができ、また、「次号機」ボタン９７２を押下することで現在表示中のデビット券売機４０の１つ後の（次の）号機番号のデビット券売機４０の詳細データを表示することができる。
【０２０８】
また、このデビット券売機詳細画面９７上で「エラー参照」ボタン９７３を押下することで、当該表示中のデビット券売機４０のエラー状況を表示することができ、「閉じる」ボタン９７４を押下することでデビット券売機詳細画面９７を表示する前のイメージ表示画面の表示に戻すことができる。
【０２０９】
次に、図１２に示す一連の処理中、ステップ２５１２における凡例データ設定処理について説明する。
【０２１０】
この処理は、例えば、図１３、図１４及び図１５に示すイメージ表示画面の表示中、該イメージ表示画面上の凡例表示画面９３の「設定」ボタン９３２を押下し、これによって表示される凡例データ設定画面を用いて行うことができる。
【０２１１】
一例として、図１９には、図１３に示すイメージ表示画面の表示中、凡例表示画面９３上の「設定」ボタン９３２が押下される様子〔同図（ａ）〕と、該「設定」ボタン９３２の押下によって表示される凡例データ設定画面９４〔同図（ｂ）〕の表示例を示している。
【０２１２】
図１９（ｂ）に示すように、凡例データ設定画面９４は、該凡例データ設定画面９４の前に表示されていた凡例表示画面９３〔同図（ａ）〕に対応する凡例データ種別である「入金」に関する複数の異なる装置イメージ表示パターン９４１（９４１ａ，９４１ｂ，９４１ｃ，９４１ｄ，９４１ｅ，９４１ｆ，９４１ｇ）と、該各装置イメージ表示パターン９４１に対応する数値領域を設定する領域設定ツール９４２（９４２ａ，９４２ｂ，９４２ｃ，９４２ｄ，９４２ｅ，９４２ｆ，９４２ｇ）とを各々隣接して配列させた画面構成を有する。
【０２１３】
この例において、各装置イメージ表示パターン９４１に対応する各領域設定ツール９４２は、それぞれ、この時の凡例データの種別である「入金」に関して何円以上であるかを示す以上指定欄と何円未満であるかを示す未満指定欄の組み合わせから成り、各指定欄は、任意の数値を入力可能に構成されている。
【０２１４】
図１９（ａ）の凡例表示画面９３上での「設定」ボタン９３２の押下により図１９（ｂ）の凡例データ設定画面９４が表示された直後、各領域設定ツール９４２における以上指定欄及び未満指定欄には、この時の凡例データ種別である「入金」に関する現在の設定値に相当する値が各々表示される。
【０２１５】
この状態で、現在の設定値を変更しようとした場合、担当者（管理者）は、以上指定欄及び未満指定欄の値をそれぞれ所望の値となるように変更し、変更に係わる数値の入力完了後、「ＯＫ」ボタン９４５を押下する。
【０２１６】
「ＯＫ」ボタンが押下されると、制御部６１は、以上指定欄と未満指定欄に新たに入力された値による入金額領域を各組の領域設定ツール９４２に隣接する上記各装置イメージ表示パターン９４１にそれぞれ対応付けて凡例設定データとして設定（設定変更）する処理を行う。
【０２１７】
図２０は、図１９（ｂ）に示す凡例データ設定画面９４上での各領域設定ツール９４２の以上指定欄と未満指定欄に対する各値の変更入力例〔同図（ａ）〕と、該変更入力完了後に、「ＯＫ」ボタン９４５が押下されることにより、該変更入力値に基づく凡例設定データの変更設定が行われた場合の凡例表示画面９３の表示例〔同図（ｂ）〕を示している。
【０２１８】
図２０（ａ）の例では、第１〜第７の装置イメージ表示パターン９４１に対して、それまで、５，０００円未満、５，０００円以上〜１０，０００円未満、１０，０００円以上〜１５，０００円未満、１５，０００円以上〜２０，０００円未満、２０，０００円以上〜２５，０００円未満、２５，０００円以上〜３０，０００円未満、３０，０００円以上の値が設定されていたものが、新たに、３，０００円未満、３，０００円以上〜５，０００円未満、５，０００円以上〜１０，０００円未満、１０，０００円以上〜２０，０００円未満、２０，０００円以上〜３０，０００円未満、３０，０００円以上〜４０，０００円未満、４０，０００円以上の値が入力された状態に変更されている。
【０２１９】
この変更入力の完了後、「ＯＫ」ボタン９４５が押下され、制御部６１によって、該変更入力後の各領域設定ツール９４２の以上指定欄と未満指定欄の値に基づいて凡例設定データの設定変更が完了すると、図２０（ｂ）に示すように、上記第１〜第７の装置イメージ表示パターン９４１に対して、それぞれ、０〜２，９００、３，０００〜４，９９９、５，０００〜９，９９９、１０，０００〜１９，９９９、２０，０００〜２９，９９９、３０，０００〜３９，９９９、４０，０００〜、の入金額（単位：円）領域が対応付けられた、変更設定後の凡例設定データ内容を反映した凡例表示画面９３ａが表示される。
【０２２０】
なお、この変更設定後の凡例表示画面９３ａが表示された際には、変更設定を行う前の凡例表示画面９３と一緒に表示されていたホールマップ画面９１（図１３参照）上の各装置の装置イメージの表示パターンも当該変更後の凡例設定データの設定内容に従って変更表示されることになる。
【０２２１】
以上の説明では、図１３に示すカード売上・入金額における「入金」指定時のホールマップ画面（カード入金額検索結果画面）９１と一緒に表示される凡例表示画面９３を用いた「カード入金」に関する凡例設定データの変更設定例を説明したが、この他、カード売上・入金額における「売上」指定時のホールマップ画面（カード売上金額検索結果画面）９１と一緒に表示される凡例表示画面９３を用いた「カード売上」に関する凡例設定データ、「カードスタック数」指定時のホールマップ画面（カードスタック数検索結果画面）９１と一緒に表示される凡例表示画面９３（図１４参照）を用いた「カードスタック枚数」に関する凡例設定データ、及び「紙幣スタック数」指定時のホールマップ画面（紙幣スタック数検索結果画面）９１と一緒に表示される凡例表示画面９３（図１５参照）を用いた「紙幣スタック枚数」に関する凡例設定データ等についても、上記同様の操作及び処理により凡例設定データの設定変更を行うことができる。
【０２２２】
以上説明したように、本発明によれば、Ｔ／Ｃ６０で、遊技用記録媒体（カード）処理システムを構成する各遊技用処理装置（台間処理ユニット２０、デビット券売機４０、精算機５０）における処理データを蓄積、管理し、検索対象項目指定手段（検索項目指定ツール９１２）により指定された項目に対応する処理データを各遊技用処理装置別に集計し、該各遊技用処理装置別の集計結果をイメージ情報として表示装置６５に一括表示するようにしたため、管理者は、上記イメージ表示を見て遊技用処理装置の処理結果をイメージでとらえることができ、遊技用記録媒体処理システムの運用状況を把握し易くなる。
【０２２３】
特に、本発明では、遊技店内における各遊技用処理装置の配置に準じて該各遊技用処理装置に対応する装置イメージを配したホールマップ画面９１を用い、該ホールマップ画面９１上の各装置イメージに関連付けて該当する各遊技用処理装置の処理データの集計結果をイメージ表示するため、遊技店内における各遊技用処理装置の運用状況を一目で参照できるようになる。
【０２２４】
また、本発明では、検索対象の項目毎に、該項目の集計値に関する複数の数値領域範囲とホールマップ画面９１上の各装置イメージに関する複数の異なる表示態様（表示パターン）との対応関係を凡例データとして設定する凡例データ設定機能を設け、検索対象項目の処理データに関する各遊技用処理装置別の処理データの集計後、該処理データの集計値が属する数値領域に対応する表示態様を当該項目に対応する凡例データに基づき各遊技用処理装置別に特定し、ホールマップ画面９１上の各遊技用処理装置に対応する各装置イメージをこの特定したそれぞれの表示態様で表示するため、各遊技用処置装置の稼動状況がどの数値領域レベルにあるかを簡単に認識できる。
【０２２５】
また、本発明では、ホールマップ画面９１上の各遊技用処理装置に対応する各装置イメージエリア内に、当該各遊技用処理装置の処理データの集計値を併せ表示するため、各遊技用処置装置の稼動状況を数値によっても把握できる。
【０２２６】
また、本発明では、指定された検索対象項目に対応する凡例データの設定内容を表示した凡例表示画面をホールマップ画面９１と一緒に表示するため、表示中の装置イメージと当該装置の処理データの集計値との対応付けを判別し易くなる。
【０２２７】
また、本発明では、凡例表示画面９３上の所定の凡例データ設定指示操作（「設定」ボタンの９３２押下）に応じて、該凡例表示画面９３に表示されている凡例データに対応する項目の集計値に関する複数の数値領域範囲の値を指定する数値領域指定ツール９４２と、ホールマップ画面９１上の各装置イメージに関する複数の異なる表示態様９４１とを対応付けた表示構成から成る凡例データ設定画面９４を表示する処理機能を有するため、該凡例データ設定画面９４上で数値領域指定ツール９４２を用いて指定された数値領域範囲の値に基づいて、該凡例データにおける当該数値領域範囲とホールマップ表紙画面上の各装置イメージの表示態様との対応付けを簡単に変更設定することができる。
【０２２８】
また、本発明では、遊技用処理装置に設けられる錠機構の施錠または解錠の状態を示す施／解錠情報を逐次に収集し、該収集した施／解錠情報に基づき、各遊技用処置装置の錠機構の施錠または解錠の状態を店内マップ上に各遊技用処理装置に関連付けて表示することで、各遊技用処理装置が施錠状態にあるか解錠状態にあるかを逐次参照でき、不正防止に大きく貢献する。
【０２２９】
また、本発明では、ホールマップ表示画面９１で所望の遊技用処理装置の識別情報（台間処理ユニット２０の台番号、デビット券売機４０、精算機５０の号機番号）を入力して検索指示することで、該入力された識別情報に対応する遊技用処理装置の詳細データを表示装置６５に一覧表示するため、各遊技用処理装置の詳細データも簡単に参照することができる。
【０２３０】
この他、本発明は、上記し、且つ図面に示す実施例に限定することなく、その要旨を変更しない範囲内で適宜変形して実施できるものである。
【０２３１】
例えば、上記実施例では、ホールマップ画面９１で指定する主検索項目としてカード入金・売上額、カードスタック枚数、紙幣スタック枚数等を例示しているが、これら以外のより細かな情報項目を検索キーとして指定し、当該指定した情報項目のイメージ表示を行うようにしても良い。
【産業上の利用可能性】
【０２３２】
本発明は、遊技用記録媒体又は貨幣を受け入れて遊技店内の遊技システムの運用に係わる処理を行う遊技用処理装置の処理データを蓄積、管理する遊技用管理システム全般に適用でき、指定された項目に対応する処理データを各遊技用処理装置別に集計し、該各遊技用処理装置別の集計結果をイメージ情報として表示することにより、管理者は、遊技用処理装置の処理結果をイメージでとらえ、遊技用処理装置で構成される遊技用記録媒体処理システムの運用状況を容易に把握できるようになる。
【図面の簡単な説明】
【０２３３】
【図１】本発明に係わる遊技用管理装置が適用された遊技システムの全体構成を示すブロック図。
【図２】本発明に係わるデビット券売機の機能構成を示すブロック図。
【図３】本発明に係わる台間処理ユニットの機能構成を示すブロック図。
【図４】本発明に係わる精算機の機能構成を示すブロック図。
【図５】本発明に係わる管理装置の機能構成を示すブロック図。
【図６】管理装置における有価価値管理テーブルの構成例を示す図。
【図７】管理装置における台情報管理テーブルの構成例を示す図。
【図８】管理装置における精算機情報管理テーブルの構成例を示す図。
【図９】管理装置における券売機情報管理テーブルの構成例を示す図。
【図１０】管理装置における処理データイメージ表示処理を示すフローチャート。
【図１１】図１０のＳ１０５におけるイメージ表示処理の詳細を示すフローチャート。
【図１２】図１１のＳ２５１における主検索項目指定外処理を示すフローチャート。
【図１３】検索項目としてカード入金売上額表示が指定された際のイメージ表示画面の表示例を示す図。
【図１４】検索項目としてカードスタック枚数が指定された際のイメージ表示画面の表示例を示す図。
【図１５】検索項目として紙幣スタック枚数が指定された際のイメージ表示画面の表示例を示す図。
【図１６】任意台間処理ユニットの台番号指定検索に基づく台詳細画面の表示例を示す図。
【図１７】任意精算機の号機番号指定検索に基づく精算機詳細画面の表示例を示す図。
【図１８】任意デビット券売機の号機番号指定検索に基づくデビット券売機詳細画面の表示例を示す図。
【図１９】凡例表示画面上の設定ボタン押下操作と該操作に基づく凡例データ設定画面の表示例を示す図。
【図２０】凡例データ設定画面上での各数値領域範囲の変更入力操作と該操作後の設定変更を反映した凡例表示画面の表示例を示す図。
【符号の説明】
【０２３４】
１０…遊技機、２０…台間処理ユニット、３０…島コントローラ、４０…デビット券売機、５０…精算機、６０…管理装置（ターミナル・コントローラ：Ｔ／Ｃ）、６１…制御部（ＣＰＵ）、６１１…データ蓄積管理制御部、６１２…イメージ表示制御部、６２…記憶装置、６３…メモリ、６３１…プリペイドカード管理テーブル、６３２…会員管理テーブル、６３３…台情報管理テーブル、６３４…精算機情報管理テーブル、５３５…券売機情報管理テーブル、７０…ＬＡＮ（ローカル・エリア・ネットワーク）、８０…公衆網、８３…カードセンタ、８５…デビット決済センタ、９１…ホールマップ表示画面、９１１…装置イメージ表示領域、９１２…検索項目指定ツール、９１３…検索エリア指定ツール、９１４…種別指定ツール、９１５…台番号指定ツール、９１６…「検索」ボタン、９１７…「凡例非表示」ボタン、９１８…「ズームイン」ボタン、９１９…「ズームアウト」ボタン、９２０…「解錠許可画面」ボタン、９３，９３ａ…凡例表示画面、９３１…設定内容表示領域、９３２…「設定」ボタン、９４１，９４１ａ、９４１ｂ、９４１ｃ，９４１ｄ，９４１ｅ，９４１ｆ，９４１ｇ…装置イメージ表示パターン、９４２，９４２ａ、９４２ｂ、９４２ｃ，９４２ｄ，９４２ｅ，９４２ｆ，９４２ｇ…領域設定ツール、９４５…「ＯＫ」ボタン、９５…台詳細画面、９５１…「前台」ボタン、９５２…「次台」ボタン、９５３…「エラー参照」ボタン、９５４…「閉じる」ボタン、９６…精算機詳細画面、９６１…「前号機」ボタン、９６２…「次号機」ボタン、９６３…「エラー参照」ボタン、９６４…「閉じる」ボタン、９７…デビット券売機詳細画面、９７１…「前号機」ボタン、９７２…「次号機」ボタン、９７３…「エラー参照」ボタン、９７４…「閉じる」ボタン
【図１】
0005416793.tif 000002
【図２】
0005416793.tif 000003
【図３】
0005416793.tif 000004
【図４】
0005416793.tif 000005
【図５】
0005416793.tif 000006
【図６】
0005416793.tif 000007
【図７】
0005416793.tif 000008
【図８】
0005416793.tif 000009
【図９】
0005416793.tif 000010
【図１０】
0005416793.tif 000011
【図１１】
0005416793.tif 000012
【図１２】
0005416793.tif 000013
【図１３】
0005416793.tif 000014
【図１４】
0005416793.tif 000015
【図１５】
0005416793.tif 000016
【図１６】
0005416793.tif 000017
【図１７】
0005416793.tif 000018
【図１８】
0005416793.tif 000019
【図１９】
0005416793.tif 000020
【図２０】
0005416793.tif 000021